(57)【要約】      （修正有）【課題】小障子の上下スライドを長期にわたってスムーズに行うとともに、小障子の停止位置の保持を長期にわたって確実に行う。【解決手段】障子本体１Ａの縦框１２、１３の内側に溝方向を上下方向として案内溝３Ｌ、３Ｒを形成し、案内溝３Ｌ、３Ｒに小障子２Ａ、２Ｂ、２Ｃの縦框２Ｌ、２Ｒを上下にスライド可能に嵌合することで、小障子２Ａ、２Ｂ、２Ｃを上下可動にした摺上げ障子１において、案内溝３Ｌと案内溝３Ｒに嵌合する小障子１の縦框２Ｌの何れか一方にマグネット６を配するとともに、他方に小障子１の上下スライド範囲においてマグネット６と対面してマグネット６に吸着される金属板５を配し、案内溝３Ｒに嵌合する縦框２Ｒに、縦框２Ｒと案内溝３Ｒとの隙間を埋めるとともに、案内溝３Ｒに接触することでマグネット６及び金属板５と協働して小障子１の位置を保持する保持部材７を配した。【選択図】図１
2012241479.tif 000002
【特許請求の範囲】
【請求項１】
障子本体の縦框の内側に溝方向を上下方向として案内溝を形成し、該案内溝に小障子の縦框を上下スライド可能に嵌合することで、該小障子を上下可動にした摺上げ障子において、前記案内溝と該案内溝に嵌合する前記小障子の縦框の何れか一方にマグネットを配するとともに、他方に前記小障子の上下スライド範囲において、前記マグネットと対面して該マグネットに吸着される金属板を配したことを特徴とする摺上げ障子。
【請求項２】
障子本体の縦框の内側に溝方向を上下方向として案内溝を形成し、該案内溝に小障子の縦框を上下にスライド可能に嵌合することで、該小障子を上下可動にした摺上げ障子において、一側の前記案内溝と該案内溝に嵌合する前記小障子の縦框の何れか一方にマグネットを配するとともに、他方に前記小障子の上下スライド範囲において前記マグネットと対面して該マグネットに吸着される金属板を配し、他側の前記案内溝に嵌合する前記縦框に、該縦框と前記案内溝との隙間を埋めるとともに、該案内溝に接触することで前記マグネット及び前記金属板と協働して小障子の位置を保持する保持部材を配したことを特徴とする摺上げ障子。
【発明の詳細な説明】
【技術分野】
【０００１】
本発明は、上下方向に可動な小障子を備えた摺上げ障子に関する。
【背景技術】
【０００２】
上下方向に可動な小障子を備えた摺上げ障子は、下記特許文献１に記載のように、障子本体の縦框の内側に溝方向を上下方向とする案内溝が形成され、この案内溝に小障子の縦框が上下スライド可能に嵌合されている。
【０００３】
また、小障子の停止位置を保持するために、小障子の縦框には、案内溝の内面に自身の付勢力で押圧されて接触する板ばねが設けられており、この板ばねが案内溝の内面に押圧されることによって生じる、板ばねと案内溝の内面との摩擦抵抗で小障子の停止位置を保持するようになっている。
【先行技術文献】
【特許文献】
【０００４】
【特許文献１】実公平５−２６２２５号公報
【発明の概要】
【発明が解決しようとする課題】
【０００５】
しかしながら、特許文献１の従来技術では、板ばねと案内溝の内面との摩擦抵抗で小障子の停止位置を保持するものであるため、相当数の板ばねを設けなければならず、部品コストや製作コストが嵩んでしまうという問題があった。
【０００６】
また、板ばねの付勢力によって障子本体の縦框やこの縦框に設けられた案内溝が変形することで、小障子の上下スライドが不可能、或いは行い難くなる等の不具合が発生する問題があった。更に、使用による板ばねのへたりが生じて小障子の停止位置を保持できなくなる不具合が発生する問題がある。
【０００７】
本発明は、このような問題に対処することを課題の一例とするものである。すなわち、部品コストや製作コスト等を低減できること、障子本体の縦框やこの縦框に設けられた案内溝の変形を防止できること、これによって、小障子の上下スライドを長期にわたってスムーズに行うことができること、小障子の停止位置の保持を長期にわたって確実にできること、等が本発明の目的である。
【課題を解決するための手段】
【０００８】
このような目的を達成するために、本発明による摺上げ障子は、以下の構成を少なくとも具備するものである。
【０００９】
障子本体の縦框の内側に溝方向を上下方向として案内溝を形成し、該案内溝に小障子の縦框を上下スライド可能に嵌合することで、該小障子を上下可動にした摺上げ障子において、前記案内溝と該案内溝に嵌合する前記小障子の縦框の何れか一方にマグネットを配するとともに、他方に前記小障子の上下スライド範囲において、前記マグネットと対面して該マグネットに吸着される金属板を配したことを特徴とする。
【００１０】
障子本体の縦框の内側に溝方向を上下方向として案内溝を形成し、該案内溝に小障子の縦框を上下にスライド可能に嵌合することで、該小障子を上下可動にした摺上げ障子において、一側の前記案内溝と該案内溝に嵌合する前記小障子の縦框の何れか一方にマグネットを配するとともに、他方に前記小障子の上下スライド範囲において前記マグネットと対面して該マグネットに吸着される金属板を配し、他側の前記案内溝に嵌合する前記縦框に、該縦框と前記案内溝との隙間を埋めるとともに、該案内溝に接触することで前記マグネット及び前記金属板と協働して小障子の位置を保持する保持部材を配したことを特徴とする。
【発明の効果】
【００１１】
このような特徴を有することで本発明は、以下の効果を奏する。すなわち、マグネットと前記金属板との吸着力によって障子の位置を保持する構成であり、更に、この吸着力と保持部材との協働による障子の位置を保持する構成であるので、部品コストや製作コスト等を低減できるとともに、障子本体の縦框やこの縦框に設けられた案内溝の変形を防止できる。これによって、小障子の上下スライドを長期にわたってスムーズに行うことができるとともに、小障子の停止位置の保持を長期にわたって確実にできる。
【図面の簡単な説明】
【００１２】
【図１】本発明の一実施形態に係る摺上げ障子の正面図で、（ａ）は子障子を閉めた状態を示し、（ｂ）は子障子を開けた状態を示す。
【図２】図１（ａ）の（２）−（２）線中間省略拡大断面図。
【図３】図２の（３）−（３）線中間省略断面図。
【発明を実施するための形態】
【００１３】
本発明の摺上げ障子は、上下スライド可能な小障子を備えたものであればよい。このような構成の摺上げ障子は、下半部に小障子を備え、この小障子を上方にスライドさせることよって、摺上げ障子の下段側から部屋の外を見られるようにした構造、上半部に小障子を備え、この小障子を下方にスライドさせることによって、摺上げ障子の上段側から部屋の外を見られるようにした構造、複数の小障子を備え、これらの小障子を任意に上下スライドさせることによって、摺上げ障子の下段側、上段側、中段側の何れかから部屋の外を見られるようにした構造のもの等が例示できる。
【００１４】
以下、本発明の一実施形態に係る摺上げ障子を図面に基づいて説明する。ここで例示する摺上げ障子は、３枚の小障子を備えて摺上げ障子の下段側、上段側、中段側の何れかから部屋の外を見られるようにした構造のものである。尚、小障子の枚数は、３枚に限るものではない。
【００１５】
図１〜図３は、摺上げ障子１の構成図である。摺上げ障子１は、上桟１０と下桟１１及び２本の縦框１２、１３でなる障子本体１Ａと、障子本体１Ａに上下スライド可能に配された３枚の小障子２Ａ、２Ｂ、２Ｃと、縦框１２、１３の内側に形成され、小障子２Ａ、２Ｂ、２Ｃを上下スライド可能に案内する案内溝群３と、小障子２Ａ、２Ｂ、２Ｃの上下位置を保持する保持装置４とを備えている。
【００１６】
小障子２Ａ、２Ｂ、２Ｃは、上桟２０と下桟２１及び２本の縦框２Ｌ、２Ｒでなる枠体２０Ａに組子２２を配してなるものである。この小障子２Ａ、２Ｂ、２Ｃは、通常、組子２２に障子紙Ｐを貼り付けるが、本発明は、障子紙Ｐを貼り付けた構成に限らず、組子２２にくもりガラス板、或いは不透明の合成樹脂板を貼り付けた又は組み込んだ構成としてもよい（図示せず）。
【００１７】
案内溝群３は、小障子２Ａ、２Ｂ、２Ｃの縦框２Ｌを嵌合支持する３本の案内溝３Ｌと、小障子２Ａ、２Ｂ、２Ｃの縦框２Ｒを嵌合支持する３本の案内溝３Ｒとからなる。案内溝３Ｌ、３Ｒは、夫々障子本体１Ａの厚み方向に並列状に並び、溝方向を上下方向として、縦框１２、１３の全長にわたるように形成されている。
【００１８】
すなわち、小障子２Ａ、２Ｂ、２Ｃは、縦框２Ｌ、２Ｒを案内溝３Ｌ、３Ｒに嵌合することによって、案内溝３Ｌ、３Ｒに沿って上下スライドできるようになっている。そして、この小障子２Ａ、２Ｂ、２Ｃの上下スライドによって、障子本体１Ａの一部を開放して室内から外を見るようにすることができる。
【００１９】
障子本体１Ａの全域又一部に透明板（図示せず）を組み込んでもよい。すなわち、小障子２Ａ、２Ｂ、２Ｃを上下スライドさせて、障子本体１Ａの一部を開放して室内から外を見る際に、外気を室内に入れないようにすることができる。この透明板は、透明な板であればよく、例えば、ガラス製の板、或いはアクリル樹脂のような透明性が高い合成樹脂製の板で達成することができる。
【００２０】
保持装置４は、縦框２Ｌの側面２０Ｌに固定された金属板５と、側面２０Ｌと対面する案内溝３Ｌの底面３０Ｌに固定された板状のマグネット６と、案内溝３Ｒに嵌合する縦框２Ｒの側面２０Ｒに固定された保持部材７とを備えている。
【００２１】
金属板５は、マグネット６の磁力によって吸着される素材を薄板状に形成したものであり、側面２０Ｌの上方側の一部に固定され、マグネット６は、案内溝３Ｌの全長にわたり固定されている。
【００２２】
すなわち、小障子２Ａ、２Ｂ、２Ｃの上下スライド時に、金属板５とマグネット６とが常に対面するとともに、マグネット６の磁力による吸着力が金属板５に作用するようになっており、この吸着力を小障子２Ａ、２Ｂ、２Ｃの上下位置を保持する力として利用するようになっている。
【００２３】
尚、金属板５とマグネット６の厚みは、小障子２Ａ、２Ｂ、２Ｃの上下スライド時に、縦框２Ｌが案内溝３Ｌから外れないように嵌合する案内溝３Ｌの深さ、或いは、縦框２Ｌの幅になるように任意に調整できる。また、金属板５を案内溝３Ｌの全長にわたって固定し、マグネット６を縦框２Ｌに固定してもよい。
【００２４】
保持部材７は、縦框２Ｒの側面２０Ｒと案内溝３Ｒの底面３０Ｒとの隙間を埋めるものであり、底面３０Ｒ方向に突設されている。この保持部材７は、側面２０Ｌと対向する面をこの底面３０Ｒに接触する接触面７０としてあり、金属板５とマグネット６が接触状態であるときに、接触面７０が底面３０Ｒに対してわずかな隙間が生じる程度に突設されている。
【００２５】
このような保持部材７は、マグネット６に金属板５が吸着した状態において、接触面７０と底面３０Ｒとの間で生じる前述のわずかな隙間を利用して、小障子２Ａ、２Ｂ、２Ｃの縦框２Ｒ側を底面３０方向へ傾かせて接触面７０を底面３０Ｒに接触させ、この接触面７０の底面３０Ｒに対する接触と、マグネット６の金属板５に対する吸着力との協働で小障子２Ａ、２Ｂ、２Ｃの位置を保持することができる。
【００２６】
小障子２Ａ、２Ｂ、２Ｃを上下スライドさせるときには、マグネット６の金属板５に対する吸着力に抗して行う。このとき、金属板５とマグネット６が吸着力によって接触状態にあり、接触面７０が底面３０Ｒに対して非接触状態にあるため、小障子２Ａ、２Ｂ、２Ｃを上下スライドさせる際の抵抗は、金属板５に対するマグネット６の吸着力のみとなる。そのため、小障子２Ａ、２Ｂ、２Ｃの上下スライドをスムーズに行うことができる。
【００２７】
小障子２Ａ、２Ｂ、２Ｃの傾きは、接触面７０が前述のわずかな隙間の範囲で底面３０Ｒに接触するまで傾く程度であるため、見た目に小障子２Ａ、２Ｂ、２Ｃが傾いていることがわからない程度の傾きになっている。そのため、小障子２Ａ、２Ｂ、２Ｃを上下スライドすることで、障子本体１Ａを開放した状態おいても、閉塞した状態においてもて、デザイン的に違和感ない摺上げ障子１にすることができる。
【００２８】
以上の構成の摺上げ障子１によると、ばね等の付勢力による接触圧力によって小障子の位置を保持する構成ではなく、金属板５とマグネット６との吸着力と、保持部材７の底面３０に対する接触との協働によって小障子２Ａ、２Ｂ、２Ｃの位置を保持する構成であるので、障子本体１Ａの縦框１２、１３、この縦框１２、１３に設けられた案内溝３Ｌ、３Ｒ、小障子２Ａ、２Ｂ、２Ｃの変形を防止できる。また、金属板５、マグネット６、保持部材７の３種類の部品で小障子２Ａ、２Ｂ、２Ｃの位置を保持できる構造を構成できるので、部品コストや製作コスト等を低減できる。
【００２９】
したがって、小障子２Ａ、２Ｂ、２Ｃの上下スライドを長期にわたってスムーズに行うことができるとともに、小障子２Ａ、２Ｂ、２Ｃの停止位置の保持を長期にわたって確実にできる摺上げ障子１を安価に提供することができる。
【００３０】
尚、本発明は、例示した実施の形態に限定するものではなく、特許請求の範囲の各項に記載した内容から逸脱しない範囲の構成による実施が可能である。
【００３１】
例示した摺上げ障子１は、保持装置４を金属板５、マグネット６、保持部材７の３種類の部品で構成したものであるが、本発明では、金属板５とマグネット６の２種類の部品で保持装置４を構成してもよい（図示せず）。
【００３２】
この場合、片側の縦框２Ｌの側面２０Ｌに金属板５を設けるとともに、案内溝３Ｌの底面３０Ｌにマグネット６を設け、縦框２Ｒの側面２０Ｒと案内溝３Ｒの底面３０Ｒとの隙間をわずかな隙間となるように、縦框２Ｒの幅、或いは案内溝３Ｒの深さを調整することによって、小障子２Ａ、２Ｂ、２Ｃの停止位置を保持することができる。
【００３３】
また、縦框２Ｌ、２Ｒの側面２０Ｌ、２０Ｒに金属板５を設けるとともに、案内溝３Ｌ、３Ｒの底面３０Ｌ、３０Ｒにマグネット６を設けて、マグネット６の吸着力のみで小障子２Ａ、２Ｂ、２Ｃの停止位置を保持することができるようにしてもよい（図示せず）。
【符号の説明】
【００３４】
１：摺上げ障子
１Ａ：障子本体
１２：縦框
１３：縦框
２Ａ：小障子
２Ｂ：小障子
２Ｃ：小障子
２Ｌ：縦框
２Ｒ：縦框
３Ｌ：案内溝
３Ｒ：案内溝
５：金属板
６：マグネット
７：保持部材
【図１】
2012241479.tif 000003
【図２】
2012241479.tif 000004
【図３】
2012241479.tif 000005